(57)【要約】      （修正有）【課題】生糸や絹糸をランダムな状態で布状にゼラチンで固定した不織布を提供する。【解決手段】ゼラチンで固定した生糸・絹糸の不織布は、生糸又は絹糸２にゼラチン層を固着し、ゼラチン層を固着した生糸又は絹糸２をランダムな状態で布状に形成して不織布１となし、布状に形成した不織布１の片面又は両面に金又は銀の金属薄膜層４をコーティングし、金又は銀の薄膜層４を真空蒸着の手法によりコーティングしたことを特徴とする。【選択図】図２
0003184405.tif 000002
【実用新案登録請求の範囲】
【請求項１】
生糸２又は絹糸３にゼラチン層４を固着し、ゼラチン層４を固着した生糸２又は絹糸３をランダムな状態で布状に形成して不織布１となし、布状に形成した不織布１の片面又は両面に金又は銀の金属薄膜層５をコーティングしたことを特徴とするゼラチンで固定した生糸又は絹糸の不織布。
【請求項２】
金又は銀の薄膜層５を真空蒸着の手法によりコーティングしたことを特徴とする請求項１記載のゼラチンで固定した生糸又は絹糸の不織布。
【考案の詳細な説明】
【技術分野】
【０００１】  本考案は不織布に関し、より詳しくは生糸や絹糸をランダムな状態で布状に形成し、ゼラチンで固定した不織布に関する。
【背景技術】
【０００２】  本考案のゼラチンで固定した生糸・絹糸の不織布に関連した先行技術として、繰糸湯で解舒した繭から引き出した濡れたままの繭糸を、巻取体に巻き付けると共にセリシンにより相互に接着させ、しかる後乾燥させて円筒形の不織布製品を得る。セリシンを有効に利用することで、繭から引き出した繭糸を、撚糸，合糸等の製糸工程やその他の複雑な工程を介在することなく、直接的に所定形状の不織布製品を成形した不織布製品の製造方法（特許文献１）がある。【０００３】
【特許文献１】特開平１０−１２１３５８
【考案の概要】
【考案が解決しようとする課題】
【０００４】  特許文献１の不織布製品の製造方法で得られる不織布は、セリシンの内部に２本のフィブロインを有する繭糸である生糸により、繰糸湯から濡れた状態の生糸のセリシンの粘着力により不織布製品を成型して得られるので、繰糸湯中の繭の状態から成型する必要があるので、乾燥した糸の状態からは成型できないといった課題があった。【０００５】  又、特許文献１の不織布製品の製造方法で得られる不織布は、セリシンの内部に２本のフィブロインを有する繭糸である生糸による不織布しか成型できず、生糸からセリシンを取り除いた絹糸による不織布を得ることはできないといった課題を有する。【０００６】  又、特許文献１の不織布製品の製造方法で得られる不織布は、セリシンの粘着力のみによって粘着されているので、セリシンのみの粘着力では粘着強が弱いといった課題を有する。【０００７】  さらには、特許文献１の不織布製品の製造方法で得られる不織布は、生糸のみによる不織布であるので、細菌に対する抗菌性はほとんど望めないといった課題を有する。
【課題を解決するための手段】
【０００８】  本考案のゼラチンで固定した生糸又は絹糸の不織布は、生糸２又は絹糸３にゼラチン層４を固着し、ゼラチン層４を固着した生糸２又は絹糸３をランダムな状態で布状に形成して不織布１となし、布状に形成した不織布１の片面又は両面に金又は銀の金属薄膜層５をコーティングしたことを特徴とする。【０００９】  本考案のゼラチンで固定した生糸又は絹糸の不織布は、金又は銀の薄膜層５を真空蒸着の手法によりコーティングしたことを特徴とする。
【考案の効果】
【００１０】  本考案のゼラチンで固定した生糸又は絹糸の不織布は、生糸２又は絹糸３にゼラチン層４を固着し、ゼラチン層４を固着した生糸２又は絹糸３をランダムな状態で布状に形成して不織布１となしているので、濡れた状態の生糸２から成型する必要がなく、乾燥した糸の状態から不織布１を成型できるといった効果を有する。【００１１】  又、本考案のゼラチンで固定した生糸又は絹糸の不織布は、セリシン６を有する生糸２からセリシン６を取り除いた絹糸３でも成型して得ることができるので、絹糸３による不織布１を得ることができるといった効果を有する。【００１２】  又、本考案のゼラチンで固定した生糸又は絹糸の不織布は、生糸２又は絹糸３にゼラチン層４を固着し、ゼラチン層４を固着した生糸２又は絹糸３をランダムな状態で布状に形成して不織布１となしているので、ゼラチン層４による強く確実な接着が可能といった効果を有するのである。【００１３】  さらには、本考案のゼラチンで固定した生糸又は絹糸の不織布は、布状に形成した不織布１の片面又は両面に金又は銀の金属薄膜層５をコーティングしているので、金又は銀の金属の抗菌作用により細菌に対する抗菌性の効果が望めるといった効果を有する。
【図面の簡単な説明】
【００１４】
【図１】：不織布の構造拡大図
【図２】：生糸による不織布の構造概念図
【図３】：絹糸による不織布の拡大構造概念図
【図４】：生糸の構造図
【図５】：熱プレスの概念図
【図６】：真空蒸着機の概念図
【図７】：マスクへの応用例図
【考案を実施するための形態】
【００１５】  以下、本考案のゼラチンで固定した生糸・絹糸の不織布について図面を参照して詳細に説明する。
【００１６】    図１は不織布の構造拡大図、図２は生糸による不織布の構造概念図、図３は絹糸による不織布の拡大構造概念図、図４は生糸の構造図、図５は熱プレスの概念図、図６は真空蒸着機の概念図、図７はマスクへの応用例図である。
【００１７】    図１の不織布の構造拡大図で示すように本考案のゼラチンで固定した生糸・絹糸の不織布は、生糸２又は絹糸３の細い糸がランダムな状態で複雑に絡まって状態で布状に成型されて不織布１を形成している。
【００１８】  このように細い糸がランダムな状態で絡まった構造の不織布１により構造の詳細を説明するのは説明が難しくなるので、図２の生糸による不織布の構造概念図及び図３の絹糸による不織布の拡大構造概念図による簡略的に描いた構造により詳細に説明する。
【００１９】  図２の生糸による不織布の構造概念図では、２本のフィブロイン７がセリシン６に囲まれた構造の生糸２がゼラチン層４により固着された後に、両面に金属薄膜層５を真空蒸着の手法によりコーティングされた構造の概念を表している。
【００２０】  又、図３の絹糸による不織布の拡大構造概念図は、図２の生糸２の代わりに、生糸２からセリシン６を取り除いたフィブロイン７のみによる絹糸３による本考案の不織布１の概念をより詳しく説明するものである。
【００２１】  一本一本の生糸２又は絹糸３にはゼラチン層４が固着され、そのゼラチン層４同士がくっつくことで布状の不織布１が形成され、さらに不織布１の片面又は両面に金属薄膜層５をコーティングすることにより、本考案のゼラチンで固定した生糸・絹糸の不織布を構成し、本考案の不織布１は隙間の割合が多いので、金属薄膜層５をコーティングしても隙間の多い通気性の良い不織布１を得ることができるのである。
【００２２】    図４は生糸の構造図であり、生糸２と絹糸３の違いを簡単に説明すると、生糸２とは２本の細い繊維であるフィブロイン７がセリシン６という物質で覆われて一本の繊維状になったものを生糸２と言い、蚕の繭から取り出した状態のものである。
【００２３】  この生糸２からセリシン６を取り除いてフィブロイン７の繊維のみを絹糸３と呼ばれるものである。
【００２４】  本考案のゼラチンで固定した生糸・絹糸の不織布の構造は上記説明の通りであるが、以下、その製造方法を説明する。
【００２５】  生糸２又は絹糸３がランダムな状態で絡み合い、概布状に形成したものにゼラチン溶液を吹き付け又は塗装といった手法により固着してゼラチン層４を形成して自然乾燥する。
【００２６】  その後、ゼラチン層４を乾燥した概布状の不織布をおよそ１３０℃前後の熱で熱プレス装置により熱プレスを実施して生糸２又は絹糸３とゼラチン層４の密着強度を強くすると共に、生糸２又は絹糸３に形成したゼラチン層４同士がくっついて不織布１形成する。
【００２７】  不織布１の片面又は両面に真空蒸着の手法で金や銀の金属薄膜層５を形成し、その後１３０℃前後の熱で熱プレスを再度実施することにより金や銀の金属薄膜層５と不織布１との密着性を安定させることにより、本考案のゼラチンで固定した生糸・絹糸の不織布が得られるのである。
【００２８】  図５の熱プレスの概念図で示す熱プレス装置とは、ヒーター２２を内蔵した熱板テーブル２０とヒーター２２を内蔵したプレス用熱板２１の間に挟んで、例えば摂氏１３０℃前後の適度な温度を与えながら熱プレス装置のレバー操作等によりプレス用熱板２１を押し下げて適度な圧力を与えることにより、より安定した不織布１を得ることができるのである。
【００２９】  前記の熱プレス装置に不織布１を熱板テーブル２０とプレス用熱板２１に挟んで摂氏１３０℃前後の適度な温度を与えながら適度な圧力を与える場合に、不織布１が熱板テーブル２０やプレス用熱板２１に密着して剥がれなくなることを防止するため、不織布１と熱板テーブル２０又はプレス用熱板２１との間にトップペーパー２３やアンダーペーパー２４と呼ばれる紙等を挟んで圧力を与えて製造すれば、不織布１が剥がれなくなることを防止でき、なお良い結果を生むのである。
【００３０】  図６の真空蒸着機の概念図で示す抵抗加熱式による真空蒸着装置の構造は、真空容器３０内の下部に原料を加熱するヒーターを兼ねたタングステン製等のボート３１が固定され、真空容器３０内の上部には銀等の金属薄膜層５が蒸着される試料３２としての不織布１が固定されている。
【００３１】  この抵抗加熱式による真空蒸着装置で金や銀の金属薄膜層５を形成するには、所定の割合に計量された薄膜層用の金や銀の金属３３を真空容器３０内のヒーターを兼ねたボート３１に収め、真空容器３０内を所定の真空度となるようポンプ３４にて排気した後、ボート３１に所定の電流を流してヒーターを兼ねたボート３１の温度を徐々に上げれば、金や銀の金属３３の融点温度以上に達した時点で金や銀の金属３３は溶解して気化し、不織布１である試料３２の内側に付着して蒸着されるのである。
【００３２】  蒸着作業が終了したら真空容器３０内に空気を導入し、真空容器３０内から金や銀の金属薄膜層５が形成された不織布１を取り出すことにより、本考案のゼラチンで固定した生糸・絹糸の不織布を得ることができるのである。
【実施例】
【００３３】  図７は本考案によるゼラチンで固定した生糸・絹糸の不織布の応用で、本考案の不織布１をマスク８に応用した例である。【００３４】  マスク８は人体にとって有害な花粉１１やウィルス１２、塵埃１３といった大気中に浮遊する有害物質を呼吸により人体に取り込まないようにする目的で用いられるものである。【００３５】  マスク８は２枚の布状である外側の素材９と内側の素材１０で構成され、本考案の不織布１を外側と内側の２枚の素材の間に装着して用いた例である。【００３６】  マスク８は上記の構成であるので、大気中に存在する花粉１１やウィルス１２、塵埃１３といった有害物質は、外側の素材９で花粉１１や塵埃１３がある程度吸収されて減少し、２枚の素材の間に装着された不織布１の金や銀の金属による抗菌性によりウィルス１２を含む多くの花粉１１やウィルス１２、塵埃１３が取り除かれ、さらに内側の素材１０においても残った有害物質が取り除かれるように構成されている。【００３７】  このようにマスク８等に応用することにより、本考案のゼラチンで固定した生糸・絹糸の不織布の金や銀の金属薄膜層５による抗菌性を有効に発揮することができるといった効果を有するのである。【００３８】  又、本考案の不織布１の他の応用として、ゼラチン層４は水溶性であり、特に暖かいお湯には溶けやすい性質を持っているので、本考案の不織布１を適当な大きさに切って飲料水等が入った容器に入れておけば、不織布１の有する金や銀の金属薄膜層５による抗菌作用により飲料水等の腐敗を遅らせることができるといった効果も期待できる。【００３９】  以上説明したように、本考案のゼラチンで固定した生糸・絹糸の不織布を用いれば、金や銀による金属薄膜層５の持つ抗菌性を発揮できるいろいろな場面に応用できると共に、水溶性であるゼラチン層４の特性等も利用すれば多くの場面での効果的な応用が期待できるのである。
【符号の説明】
【００４０】  １：不織布
２：生糸
３：絹糸
４：ゼラチン層
５：金属薄膜層
６：セリシン
７：フィブロイン
８：マスク
９：外側の素材
１０：内側の素材
１１：花粉
１２：ウィルス
１３：塵埃
２０：熱板テーブル
２１：プレス用熱板
２２：ヒーター
２３：トップペーパー
２４：アンダーペーパー
３０：真空容器
３１：ボート
３２：試料
３３：金属
３４：ポンプ
【図１】
0003184405.tif 000003
【図２】
0003184405.tif 000004
【図３】
0003184405.tif 000005
【図４】
0003184405.tif 000006
【図５】
0003184405.tif 000007
【図６】
0003184405.tif 000008
【図７】
0003184405.tif 000009